(57)【要約】【課題】連続する自由勾配側溝の蓋板をまくり、土嚢などで流水をせき止め、取水、排水する為交通の邪魔になり非常に危険な作業であった。自由勾配側溝に用排水用セキ板を入れる角落としを設けた便利で安全な用排水兼用型自由勾配側溝を提供する。【解決手段】  自由勾配側溝（１）に用水角落とし半楕円形切欠部（２）を設け、取手（４）を付けたセキ板（３）を角落とし溝（６）に沿って挿入し、流水をせき止め用排水口（５）より取水する。又用水両方向対応型のため使用しない用水角落とし半楕円形切欠部（２）には、取手（１２）をつけたダミーのセキ板（１１）を角落とし溝（６）に挿入する。なお排水時は、自由勾配側溝（１）の蓋開口部（１０）に設けた排水用角落とし（７）から、溝（９）に沿って排水用セキ板（８）を入れ、用排水口（５）の高さによって排水流量を調整することを特徴とする。【選択図】    図３
2006029055.tif 000002
【特許請求の範囲】
【請求項１】
（イ）自由勾配側溝（１）に用水角落とし半楕円形切欠部（２）を設け、取手（４）を付けたセキ板（３）を角落とし溝（６）に沿って挿入し、流水をせき止め用排水口（５）より取水する。
（ロ）用水両方向対応型のため使用しない用水角落とし半楕円形切欠部（２）には、取手（１２）を付けたダミーのセキ板（１１）を角落とし溝（６）に挿入する。
（ハ）排水時は自由勾配側溝（１）の蓋開口部（１０）に設けた排水用角落とし（７）から、溝（９）に沿って排水用セキ板（８）を入れ、用排水口（５）の高さによって排水流量を調節する。以上の構成よりなる自由勾配側溝。
【請求項２】
請求項１記載の片土圧自由勾配側溝。
【発明の詳細な説明】
【発明の詳細な説明】
【技術分野】
【０００１】  この発明は、自由勾配側溝に角落としを作り、それに落とし蓋で用水を取水又、排水流量を調節する用排水兼用型自由勾配側溝に関するものである。
【背景技術】
【０００２】  従来は自由勾配側溝の蓋板をまくりそこへ、土嚢などで用水をせき止め、取水し、排水はコンクリートに穴を空け使用した。
【発明が解決しようとする課題】
【０００３】  これはつぎのような欠点があった。
取水している間、蓋板をめくって置くため、車道幅員が確保できなくなり、危険であった。又、自由勾配側溝の天井部は底部より少し幅が狭くなっている為セキ板を中へ入れて、上げようにもあがらなかった。
排水時は、コンクリート自体に穴を掘って、大きさで調節し、木板などで塞いでいた。本発明は、以上のような欠点を補うためになされたものである。
【課題を解決するための手段】
【０００４】  自由勾配側溝（１）に用水角落とし半楕円形切欠部（２）を設け、取手（４）を付けたセキ板（３）を角落とし溝（６）に沿って挿入し、流水をせき止め用排水口（５）より取水する。用水両方向対応型のため使用しない用水角落とし半楕円形切欠部（２）には、取手（１２）を付けたダミーのセキ板（１１）を角落とし溝（６）に挿入する。又排水時は、自由勾配側溝（１）の蓋開口部（１０）に設けた排水用角落とし（７）から、溝（９）に沿って排水用セキ板（８）を入れ、用排水口（５）の高さによって排水流量を調節する。本発明は、以上の構成よりなる用排水兼用型自由勾配側溝である。
【発明を実施するための最良の形態】
【０００５】  以下、本発明の実施の形態について説明する。
自由勾配側溝（１）に用水角落とし半楕円形切欠部（２）を２箇所設け、角落とし溝（６）を設ける。又蓋開口部（１０）に排水角落とし（７）を設け、角落とし溝（９）を設け、側面に用排水口（５）を設ける。
本発明は、以上のような構造でこれを使用するときは、片方の用水角落としにセキ板を挿入し、もう一方の用水角落としには、ダミーのセキ板入れ、取水する。又排水時は、排水用角落としに排水用セキ板を排水の加減によって入れ、調節する。
【発明の効果】
【０００６】  取水方法が自由勾配側溝にセキ板を挿入する取水操作自体が簡単なため、どのような人でも対応でき、流水両方向対応型のため場所を選ばない。セキ板は挿入するとセキ板の取手部分が自由勾配側溝の天端と同じ高さになるため取水の間も交通の邪魔にはならず、安全であり便利である。
排水時は、セキ板の高さで排水流量を調節でき便利である。
【図面の簡単な説明】
【図１】  本発明の平面図である。
【図２】  本発明のＣ−Ｃ断面図である。
【図３】  本発明の斜視図である。
【図４】  本発明のＢ−Ｂ断面図である。
【図５】  本発明のＡ−Ａ断面図である。
【図６】  本発明の用水角落とし詳細図である。
【符号の説明】
１    自由勾配側溝
２    用水角落とし切欠部
３    用水セキ板
４    取手
５    用排水口
６    用水角落とし溝
７    排水角落とし
８    排水セキ板
９    排水角落とし溝
１０    蓋開口部
１１    ダミーセキ板
１２    ダミーセキ板取手
【図１】
2006029055.tif 000003
【図２】
2006029055.tif 000004
【図３】
2006029055.tif 000005
【図４】
2006029055.tif 000006
【図５】
2006029055.tif 000007
【図６】
2006029055.tif 000008
【図７】
2006029055.tif 000009
【手続補正書】
【提出日】平成16年9月21日(2004.9.21)
【手続補正１】
【補正対象書類名】明細書
【補正対象項目名】全文
【補正方法】変更
【補正の内容】
【発明の詳細な説明】
【技術分野】
【０００１】本発明は、自由勾配側溝に角落としを作り、それに落とし蓋で用水を取水又、排水流量を調節する用排水兼用型自由勾配側溝に関するものである。
【背景技術】
【０００２】従来は自由勾配側溝の蓋板をまくりそこへ、土嚢などで用水をせき止め、取水し、排水はコンクリートに穴を空け使用した。
【発明の開示】
【発明が解決しようとする課題】
【０００３】解決しようとする問題点は、取水している間、蓋板をめくって置くため、車道幅員が確保できなくなり、危険であった。又、自由勾配側溝の天井部は底部より少し幅が狭くなっている為セキ板を中へ入れて、上げようにもあがらなかった。排水時は、コンクリート自体に穴を掘って、大きさで調節し、木板などで塞いでいた。本発明は、以上のような欠点を補うためになされたものである。
【問題を解決するための手段】
【０００４】本発明は、自由勾配側溝（１）に用水角落とし半楕円形切欠部（２）を設け、取手（４）を付けたセキ板（３）を角落とし溝（６）に沿って挿入し、流水をせき止め用排水口（５）より取水する。用水両方向対応型のため、使用しない用水角落とし半楕円形切欠部（２）には、取手（１２）を付けたダミーのセキ板（１１）を角落とし溝（６）に挿入する。又排水時は、自由勾配側溝（１）の蓋開口部（１０）に設けた排水用角落とし（７）から、溝（９）に沿って排水用セキ板（８）を入れ、用排水口（５）の高さによって排水流量を調節する。本発明は以上の構成よりなる用排水兼用型自由勾配側溝である。
【発明の効果】
【０００５】  本発明の取水方法が自由勾配側溝にセキ板を挿入する取水操作自体が簡単なため、どのような人でも対応でき、流水両方向対応型のため場所を選ばない。セキ板は挿入するとセキ板の取手部分が自由勾配側溝の天端と同じ高さになるため取水の間も交通の邪魔にはならず、安全であり便利である。排水時はセキ板の高さで排水流量を調節でき便利である。
【発明を実施するための最良の形態】
【０００６】  自由勾配側溝（１）に用水角落とし半楕円形切欠部（２）を２箇所設け、角落とし溝（６）を２箇所設ける。又蓋開口部（１０）に排水角落とし（７）を設け、角落とし溝（９）を設け、側面に用排水口（５）を設ける。本発明は、以上のような構造で、これを使用するときは、片方の用水角落としにセキ板を挿入し、もう一方の用水角落としには、ダミーのセキ板を入れ、取水する。又排水時は、排水用角落としに排水用セキ板を排水の加減によって入れ、調節し、使用する。
【実施例１】
【０００７】  図３は本発明の用排水兼用型自由勾配側溝である。
【図面の簡単な説明】
【０００８】
【図１】  本発明の平面図である。
【図２】  本発明の図１におけるＣ−Ｃ断面図である。
【図３】  本発明の斜視図である。
【図４】  本発明の図１におけるＢ−Ｂ断面図である。
【図５】  本発明の図１におけるＡ−Ａ断面図である。
【図６】  本発明の用水角落としに用水セキ板を入れた拡大図である。
【図７】  本発明の用水角落としにダミーのセキ板を入れた拡大図である。
【符号の説明】
【０００９】  １            自由勾配側溝
２            用水角落とし切欠部
３            用水セキ板
４            取手
５            用排水口
６            用水角落とし溝
７            排水角落とし
８            排水セキ板
９            排水角落とし溝
１０            蓋開口部
１１            ダミーセキ板
１２            ダミーのセキ板取手